(57)【要約】【課題】ミラー部材が、回転軸周りに両端部で下方向へ付勢され、先端両側部でミラー受けに当接する構造を採用すると、ミラー平面が一意に定まらず、がたを生じる可能性があった。ミラー平面にがたが生じると、ＡＦ精度の悪化など、様々な不都合を引き起こす。【解決手段】ミラーユニットは、入射光束中に斜設される第１状態と、入射光束から退避する第２状態との間で、回動軸を中心に回動するミラー部と、回動軸の一端の側でミラー部を受けて、ミラー部を第１状態に位置決めする受け部と、回動軸の一端の側でミラー部を第２状態から第１状態へ回動させる方向に付勢する第１付勢部と、回動軸の他端の側でミラー部を第２状態から第１状態へ回動させる方向に付勢する第２付勢部とを備え、第２付勢部の付勢力によって発生する回動軸まわりのトルクは、第１付勢部の付勢力によって発生する回動軸まわりのトルクより小さい。【選択図】図２
2013140193.tif 000002
【特許請求の範囲】
【請求項１】
入射光束中に斜設される第１状態と、入射光束から退避する第２状態との間で、回動軸を中心に回動するミラー部と、
前記回動軸の一端の側で前記ミラー部を受けて、前記ミラー部を前記第１状態に位置決めする受け部と、
前記回動軸の一端の側で前記ミラー部を前記第２状態から前記第１状態へ回動させる方向に付勢する第１付勢部と、
前記回動軸の他端の側で前記ミラー部を前記第２状態から前記第１状態へ回動させる方向に付勢する第２付勢部と
を備え、
前記第２付勢部の付勢力によって発生する前記回動軸まわりのトルクは、前記第１付勢部の付勢力によって発生する前記回動軸まわりのトルクより小さいミラーユニット。
【請求項２】
前記ミラー部を内包するミラーボックスを備え、
前記ミラー部は、前記回動軸の他端の側から突出して前記ミラーボックスの外側に一部が露出される突出部を有し、
前記第２付勢部は、前記ミラーボックスの外側に設けられ、前記突出部を付勢する請求項１に記載のミラーユニット。
【請求項３】
前記突出部は、前記ミラー部を前記第１状態から前記第２状態へ駆動する駆動力をミラー駆動部から受ける請求項２に記載のミラーユニット。
【請求項４】
前記突出部は、前記ミラーボックスの外側に設けられた回転可能な回転部を有し、
前記第２付勢部は、前記回転部を付勢する請求項２または３に記載のミラーユニット。
【請求項５】
前記第２付勢部は、前記ミラー部の回動時に、前記突出部との接触箇所を変更する請求項２から４のいずれか１項に記載のミラーユニット。
【請求項６】
前記突出部は、メッキが施されたメッキ表面を前記ミラーボックスの外側に有し、
前記第２付勢部は、前記メッキ表面に接触して前記突出部を付勢する請求項２から５のいずれか１項に記載のミラーユニット。
【請求項７】
請求項１から６のいずれか１項に記載のミラーユニットを備える撮像装置。
【発明の詳細な説明】
【技術分野】
【０００１】
本発明は、ミラーユニットおよび撮像装置に関する。
【背景技術】
【０００２】
回動軸を中心に回動可能なミラー部材と当接して当該ミラー部材を予め定められた角度に傾けて位置決めするミラー受けを備えたミラーユニットが知られている。
［先行技術文献］
［特許文献］
［特許文献１］特開平１０−２５４０５８号公報
【発明の概要】
【発明が解決しようとする課題】
【０００３】
ミラー部材が、回転軸周りに両端部で下方向へ付勢され、先端両側部でミラー受けに当接する構造を採用すると、ミラー平面が一意に定まらず、がたを生じる可能性があった。ミラー平面にがたが生じると、ＡＦ精度の悪化など、様々な不都合を引き起こす。
【課題を解決するための手段】
【０００４】
本発明の第１の態様におけるミラーユニットは、入射光束中に斜設される第１状態と、入射光束から退避する第２状態との間で、回動軸を中心に回動するミラー部と、回動軸の一端の側でミラー部を受けて、ミラー部を第１状態に位置決めする受け部と、回動軸の一端の側でミラー部を第２状態から第１状態へ回動させる方向に付勢する第１付勢部と、回動軸の他端の側でミラー部を第２状態から第１状態へ回動させる方向に付勢する第２付勢部とを備え、第２付勢部の付勢力によって発生する回動軸まわりのトルクは、第１付勢部の付勢力によって発生する回動軸まわりのトルクより小さい。
【０００５】
また、本発明の第２の態様における撮像装置は、上述のミラーユニットを備える。
【０００６】
上記の発明の概要は、本発明の必要な特徴の全てを列挙したものではない。これら特徴群のサブコンビネーションもまた発明となり得る。
【図面の簡単な説明】
【０００７】
【図１】一眼レフカメラの構造を模式的に示す断面図である。
【図２】ミラーユニットの正面斜視図である。
【図３】ミラーユニットの背面図である。
【図４】メインミラーが第１状態に位置決めされた場合におけるミラーユニットの側面図である。
【図５】メインミラーが第２状態に位置決めされた場合におけるミラーユニットの側面図である。
【図６】ミラーアップピンの構造を説明するための説明図である。
【発明を実施するための形態】
【０００８】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【０００９】
図１は、一眼レフカメラ１００の模式的断面図である。一眼レフカメラ１００は、レンズユニット２００およびカメラボディ３００を備える。カメラボディ３００には、焦点距離、開放Ｆ値等の異なる複数のレンズユニット２００が交換可能に装着される。レンズユニット２００は、その鏡筒内に、光軸１１０に沿って配列された光学系を備え、光軸１１０に沿って入射する被写体光束をカメラボディ３００の撮像素子３３０へ導く。図１に示すように、光軸１１０に平行な方向である前後方向をｚ軸方向とする。また、撮像素子３３０の長手方向と平行な方向である左右方向をｘ軸方向とし、ｚ軸およびｘ軸に直交する方向である上下方向をｙ軸方向とする。
【００１０】
レンズユニット２００は、固定筒２１０、複数のレンズ２２０、２３０、２４０、レンズマウント２５０およびレンズ側ＣＰＵ２６０を有する。固定筒２１０の一端は、レンズマウント２５０を介して、カメラボディ３００のボディマウント３６０に結合される。レンズマウント２５０およびボディマウント３６０の結合は、予め定められた操作により解除できる。
【００１１】
レンズユニット２００において、カメラボディ３００から遠くに位置するレンズ２２０は、固定筒２１０から直接に支持される。これに対して、他のレンズ２３０、２４０は、固定筒２１０対して光軸１１０方向に移動する。これにより、レンズユニット２００の光学系は変倍または合焦する。例えば、レンズ２３０は、レンズユニット２００の倍率を変化させる場合に移動するズームレンズのひとつとなる。また、レンズ２４０は、レンズユニット２００の焦点位置を変化させる場合に移動するフォーカシングレンズのひとつとなる。
【００１２】
レンズ側ＣＰＵ２６０は、レンズユニット２００における制御を司ると共に、カメラボディ３００との通信も担う。これにより、レンズユニット２００がカメラボディ３００に装着された場合に、カメラボディ３００と連携して動作する。レンズ側ＣＰＵ２６０は、レンズユニット２００における合焦、変倍、防振等の動作を制御する。また、レンズ側ＣＰＵ２６０は、カメラボディ３００のボディ側ＣＰＵ３２２と接続され、相互に通信を実行しつつ協働してレンズユニット２００とカメラボディ３００を制御する。また、防振ユニットを備えたレンズユニット２００では、レンズ側ＣＰＵ２６０は、振動を打ち消すレンズの移動方向および移動量を算出してアクチュエータを制御する。
【００１３】
カメラボディ３００は、レンズマウント２５０に結合されるボディマウント３６０の後方にミラーユニット４００を備える。ミラーユニット４００の下方には合焦光学系３８０が、ミラーユニット４００の上方にはピント板３５２が、それぞれ配される。ピント板３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。また、ファインダ光学系３５６の近傍に測光センサ３９０が配される。
【００１４】
ミラーユニット４００の後方には、シャッタ３７０、光学フィルタ３３２、撮像素子３３０、ボディ基板３２０および背面表示部３４０が順次配される。液晶表示板等により形成される背面表示部３４０は、カメラボディ３００の背面に現れる。ボディ基板３２０には、ボディ側ＣＰＵ３２２、画像処理回路３２４等の電子回路が実装される。
【００１５】
ミラーユニット４００は、メインミラー４１０およびサブミラー４４０を内包するミラーボックス４０２を有する。メインミラー４１０は、メインミラー保持枠４２０に支持される。メインミラー保持枠４２０は、ｘ軸方向と平行なメインミラー回動軸４３０によりミラーボックス４０２から軸支される。サブミラー４４０は、ｘ軸方向と平行なサブミラー回動軸４６０によりメインミラー保持枠４２０から軸支されたサブミラー保持枠４５０に支持される。よって、サブミラー保持枠４５０は、メインミラー保持枠４２０に対して回動する。また、メインミラー保持枠４２０が回動した場合、サブミラー保持枠４５０もメインミラー保持枠４２０と共に変位する。
【００１６】
回動によりメインミラー保持枠４２０の前端が下降して停止した場合、メインミラー４１０は、レンズユニット２００から入射した入射光束中に斜設される第１状態となる。メインミラー保持枠４２０の前端が上昇して停止した場合、メインミラー４１０は、入射光束から退避する第２状態となる。本実施形態において、メインミラー４１０およびメインミラー保持枠４２０は、入射光束中に斜設される第１状態と、入射光束から退避する第２状態との間で回動するミラー部の少なくとも一部として機能する。
【００１７】
メインミラー４１０が第１状態にある場合、レンズユニット２００を通じて入射した入射光束の多くはメインミラー４１０に反射されてピント板３５２に導かれる。ピント板３５２は、撮像素子３３０の撮像面と共役な位置に配されて、レンズユニット２００の光学系が形成した像を可視化する。
【００１８】
ピント板３５２に形成された像は、ペンタプリズム３５４およびファインダ光学系３５６を通じてファインダ３５０から観察される。ファインダ３５０から観察される像は、ペンタプリズム３５４を通したことにより正立正像として観察される。また、ピント板３５２からファインダ３５０に向かう光束の一部は、測光センサ３９０に向かって分岐される。測光センサ３９０は、受光した光束から被写体輝度を検出し、検出結果をボディ側ＣＰＵ３２２へ出力する。これにより、ボディ側ＣＰＵ３２２は、撮影する場合の露出条件を算出する。
【００１９】
メインミラー４１０は、入射光束の一部を透過するハーフミラー領域を有する。よって、第１状態にあるメインミラー４１０に入射した光束の一部は、ハーフミラー領域を透過ししサブミラー４４０に入射する。サブミラー４４０は、ハーフミラー領域から入射した入射光束の一部を、合焦光学系３８０に向かって反射する。合焦光学系３８０は、入射した入射光束の一部を焦点検出センサ３８２に導く。焦点検出センサ３８２は、検出結果をボディ側ＣＰＵ３２２へ出力する。これにより、ボディ側ＣＰＵ３２２は、レンズユニット２００の光学系を合焦させる場合に移動するレンズの目標位置を決定する。
【００２０】
上記のような一眼レフカメラ１００においてレリーズボタンが半押しされると、焦点検出センサ３８２および測光センサ３９０が有効になり、被写体像を適切な撮影条件で撮影できる状態になる。次いで、レリーズボタンが全押しされると、メインミラー４１０およびサブミラー４４０が退避位置に移動して第２状態となり、シャッタ３７０が開く。そして、レンズユニット２００から入射した入射光束は、光学フィルタ３３２を通過して、撮像素子３３０の受光面上に結像する。
【００２１】
撮像素子３３０は、光学系を透過して入射する被写体像である光学像を光電変換する素子であり、例えば、ＣＣＤ、ＣＭＯＳセンサが用いられる。撮像素子３３０で光電変換された被写体像は、画像処理回路３２４でアナログ信号からデジタル信号に変換される。デジタル信号に変換された被写体像は、画像データとして順次処理される。画像処理回路３２４は、ユーザが選択した撮影モード等に従って、画像データをＪＰＥＧファイル等の規格化された画像フォーマットの画像データに変換する。画像処理回路３２４によって処理された画像データは、フラッシュメモリ等のカメラボディ３００に対して着脱可能な記録媒体に記録される。
【００２２】
一眼レフカメラ１００は、上述の画像処理における各々の要素も含めて、ボディ側ＣＰＵ３２２により直接的または間接的に制御される。ボディ側ＣＰＵ３２２内のシステムメモリは、電気的に消去・記録可能な不揮発性メモリであり、例えばＥＥＰＲＯＭ（登録商標）等により構成される。システムメモリは、一眼レフカメラ１００の動作時に必要な定数、変数、プログラム等を、一眼レフカメラ１００の非動作時にも失われないように記録している。
【００２３】
図２は、ミラーユニット４００の正面斜視図である。なお、図２はミラーボックス４０２を省略して示す。ミラーユニット４００は、各種部材を取り付けるためのミラー基板４７０を有する。ミラー基板４７０は、ｘ軸方向においてメインミラー４１０を挟んで対向する、ミラーボックス４０２の一対の側壁の一方に固定される。メインミラー回動軸４３０の一端である第１回動軸４３２は、ミラー基板４７０の第１軸受４７２で回動可能に支持される。一方、メインミラー回動軸４３０の他端である第２回動軸４３４は、ミラーボックス４０２の一対の側壁の他方に設けられた、後述する第２軸受で回動可能に支持される。
【００２４】
第１回動軸４３２および第２回動軸４３４は、ｘ軸方向においてメインミラー４１０を挟んで対向する、メインミラー保持枠４２０の一対の側板にそれぞれ固定されている。したがって、メインミラー４１０およびメインミラー保持枠４２０は、ミラーボックス４０２に対して回動可能に支持される。
【００２５】
ミラー基板４７０には、第１回動軸４３２側でメインミラー保持枠４２０を受ける受け部としての受けピン４８２を有する緩衝部材４８０が設けられている。緩衝部材４８０および受けピン４８２は、一体に形成され、ミラー基板４７０に対して回動可能に支持される。また、ミラー基板４７０には、緩衝ばね４９０および制動部材４９２が設けられている。緩衝ばね４９０の一端は緩衝部材４８０に係合し、他端は制動部材４９２に係合する。本実施形態において、緩衝部材４８０、緩衝ばね４９０および制動部材４９２は、メインミラー保持枠４２０の受けピン４８２への衝突に伴う衝撃を緩和する緩衝機構を構成する。
【００２６】
ミラー基板４７０のメインミラー４１０側には、第１偏心ピン５００および第２偏心ピン５０２が設けられている。緩衝ばね４９０の付勢力により、緩衝部材４８０は、第１偏心ピン５００および第２偏心ピン５０２と当接する。第１偏心ピン５００および第２偏心ピン５０２は、ほぼ同時に緩衝部材４８０に当接するように位置調整されている。
【００２７】
緩衝部材４８０が第１偏心ピン５００および第２偏心ピン５０２と当接することにより、受けピン４８２は予め定められた箇所に位置決めされる。そのため、入射光束中に斜設される第１状態のメインミラー４１０は、ｙ軸に垂直な平面に対し、予め定められた角度、例えば４５度傾いて位置決めされる。第１状態のメインミラー４１０の傾斜角度は、第１偏心ピン５００および第２偏心ピン５０２の回転軸が例えば六角レンチを用いて回転されることにより微調整される。
【００２８】
第１回動軸４３２の外周には、メインミラー４１０を降下させるための第１ばね５１０が設けられている。第１ばね５１０の一端はメインミラー保持枠４２０の第１回動軸４３２側の側板に係合し、他端はミラー基板４７０に係合する。本実施形態において、第１ばね５１０は、第１回動軸４３２側でメインミラー保持枠４２０を第２状態から第１状態へ回動させる方向に付勢する第１付勢部としての役割を担う。
【００２９】
第２回動軸４３４側のメインミラー保持枠４２０の側板には、メインミラー４１０を上昇させる駆動力を、ミラー駆動部であるミラーアップレバーから受け付けるミラーアップピン４２２が設けられている。本実施形態において、ミラーアップピン４２２は、ミラーボックス４０２の外側に一部が露出される突出部である。ミラーアップピン４２２は、露出された箇所でミラーボックス４０２の外側に配置されたミラー駆動機構のミラーアップレバーと当接する。
【００３０】
第２回動軸４３４側のミラーボックス４０２の側壁の外側の取付軸４０４の外周には、第２ばね５１２が設けられている。第２ばね５１２の一端はミラーアップピン４２２に係合し、他端は第２回動軸４３４側のミラーボックス４０２の側壁に係合する。本実施形態において、第２ばね５１２は、第２回動軸４３４側でメインミラー保持枠４２０を第２状態から第１状態へ回動させる方向に付勢する第２付勢部としての役割を担う。
【００３１】
図３は、ミラーユニット４００の背面図である。第２回動軸４３４は、第２回動軸４３４側のミラーボックス４０２の側壁に設けられた第２軸受４０６で回動可能に支持される。また、第２ばね５１２は、第２回動軸４３４側のミラーボックス４０２側壁の外側に配置され、当該ミラーボックス４０２側壁の外表面から突出する取付軸４０４の外周に設けられている。
【００３２】
メインミラー４１０が第１状態に位置決めされている場合において、第１ばね５１０が第１回動軸４３２側でメインミラー保持枠４２０を付勢することにより、第１回動軸４３２は、第１軸受４７２に対して一定方向に寄せられて支持される。同様に、第２ばね５１２が第２回動軸４３４側でメインミラー保持枠４２０を付勢することにより、第２回動軸４３４は、第２軸受４０６に対して一定方向に寄せられて支持される。また、上述のとおり、第１状態のメインミラー保持枠４２０は、第１回動軸４３２側で受けピン４８２に支持される。このとき、第２回動軸４３４側には受けピンが設けられていないので、メインミラー保持枠４２０は、第２回動軸４３４側ではいずれの部材にも支持されていない。
【００３３】
つまり、メインミラー保持枠４２０は、メインミラー回動軸４３０の両端に位置する第１軸受４７２と第２軸受４０６、およびメインミラー保持枠４２０の先端近傍かつ第１回動軸４３２側に位置する受けピン４８２の３点で支持される。メインミラー保持枠４２０は、３点で支持されるので、一意に面位置が定まり、第１状態において一眼レフカメラ１００の姿勢が変化したとしても、がたが生じることはない。したがって、メインミラー４１０の傾斜角精度を高めることができる。
【００３４】
ここで、第１ばね５１０によって第１回動軸４３２周りに発生するトルクに対し、第２ばね５１２によって第２回動軸４３４周りに発生するトルクを同等以上に大きくすると、第２軸受け４０６と受けピン４８２とを結ぶライン周りにねじれが生じる。一方、第２回動軸４３４周りに発生するトルクの方を小さくすると、第１軸受け４７２と受けピン４８２とを結ぶラインがメインミラー回動軸４３０に対してほぼ直交する方向であるので、ミラー面に生じるねじれを極力抑えることができる。したがって、本実施形態においては、第２ばね５１２が第２回動軸４３４周りに発生させるトルクが、第１ばね５１０が第１回動軸４３２周りに発生させるトルクよりも、小さくなるように第２ばねの付勢力が設定されている。
【００３５】
このような付勢力の大小関係により、第１ばね５１０は、十分な付勢力をもってメインミラー４１０を下降させることができる。なお、第２ばね５１２の付勢力は、一眼レフカメラ１００がどのような姿勢であっても、第２回動軸４３４を第２軸受け４０６の一方向へ片寄せすることができる程度に調整される。
【００３６】
また、本実施形態において、第２ばね５１２は、ミラーボックス４０２の外側に設けられる。したがって、メインミラー保持枠４２０と一緒に組み込む必要がなく、メインミラー保持枠４２０を組み込んだ後に第２ばね５１２を容易に取り付けることができる。また、本実施形態において、メインミラー保持枠４２０と第２ばね５１２との係合箇所としてミラーアップピン４２２が用いられる。したがって、第２ばね５１２の係合部をメインミラー保持枠に別途設けなくてもよい。
【００３７】
次に、メインミラー４１０の回動動作について説明する。図４は、メインミラー４１０が第１状態に位置決めされた場合におけるミラーユニット４００の側面図である。上述したように、緩衝ばね４９０の付勢力により緩衝部材４８０が第１偏心ピン５００および第２偏心ピン５０２と当接して、受けピン４８２は位置決めされる。そして、メインミラー保持枠４２０が受けピン４８２に当接して、メインミラー４１０は位置決めされる。また、サブミラー保持枠４５０のＵ字部４５２がミラー基板４７０に設けられたキャッチピン５２０と当接して、サブミラー４４０は位置決めされる。
【００３８】
ミラー駆動機構は、ボディ側ＣＰＵ３２２からミラーアップ指示を受け付けるとミラーアップレバーを駆動する。ミラーアップレバーがメインミラー保持枠４２０のミラーアップピン４２２を上方へ駆動すると、メインミラー保持枠４２０は、ミラー基板４７０に対し、メインミラー回動軸４３０を中心に、ｘ軸正方向から見て反時計回りに回動する。メインミラー保持枠４２０の回動により、サブミラー保持枠４５０のＵ字部４５２は、キャッチピン５２０から離れる。メインミラー保持枠４２０が予め定められた位置より上昇すると、サブミラー保持枠４５０を付勢するトグルばね５３０の付勢方向が切り替わる。そして、サブミラー保持枠４５０は、メインミラー保持枠４２０に対し、サブミラー回動軸４６０を中心に、ｘ軸正方向からみて反時計回りに回動する。そして、ミラー駆動機構がミラーアップレバーを予め定められた位置で停止させると、メインミラー４１０は、入射光束から退避する第２状態に位置決めされる。
【００３９】
図５は、メインミラー４１０が第２状態に位置決めされた場合におけるミラーユニット４００の側面図である。サブミラー保持枠４５０は、トグルばね５３０の付勢力により、メインミラー保持枠４２０に沿って配置される。したがって、サブミラー４４０も、メインミラー４１０とともに入射光束から退避する。ミラー駆動機構は、ボディ側ＣＰＵ３２２からミラーダウン指示を受け付けると、ミラーアップレバーを駆動してミラーアップピン４２２の支持を解除する。ミラーアップピン４２２の支持が解除されると、メインミラー保持枠４２０は、上述した第１ばね５１０の付勢力により駆動する。そして、メインミラー保持枠４２０は、ミラー基板４７０に対し、メインミラー回動軸４３０を中心に、ｘ軸正方向から見て時計回りに回動する。
【００４０】
メインミラー保持枠４２０が予め定められた位置より下降すると、サブミラー保持枠４５０を付勢するトグルばね５３０の付勢方向が切り替わる。そして、サブミラー保持枠４５０は、メインミラー保持枠４２０に対し、サブミラー回動軸４６０を中心に、ｘ軸正方向からみて時計回りに回動し、サブミラー保持枠４５０のＵ字部４５２は、キャッチピン５２０と係合する。
【００４１】
本実施形態において、緩衝部材４８０の慣性モーメントは、メインミラー４１０、メインミラー保持枠４２０、サブミラー４４０、サブミラー保持枠４５０等のミラー側の系の慣性モーメントとほぼ同じに調整されている。そのため、メインミラー保持枠４２０は、受けピン４８２と衝突すると、受けピン４８２を介して緩衝部材４８０へ運動エネルギーを受け渡し、バウンドまたは振動をほとんど生じることなく停止する。一方、緩衝部材４８０は、メインミラー保持枠４２０が受けピン４８２に衝突する衝撃力によって、ミラー基板４７０に対し、ｘ軸正方向から見て反時計回りに回動する。そして、緩衝部材４８０は、第１偏心ピン５００および第２偏心ピン５０２から離れる。
【００４２】
この衝突によって緩衝部材４８０が得た運動エネルギーは、緩衝ばね４９０の歪エネルギーとして蓄えられるとともに、緩衝部材４８０と制動部材４９２との摩擦によって減少する。やがて、緩衝部材４８０は、ｘ軸正方向から見て反時計回りの回動を停止する。緩衝部材４８０は、今度は緩衝ばね４９０の付勢力により、ミラー基板４７０に対し、ｘ軸正方向から見て時計回りの回動を開始する。
【００４３】
緩衝部材４８０の受けピン４８２がメインミラー保持枠４２０と当接すると、緩衝部材４８０は、第１偏心ピン５００および第２偏心ピン５０２と当接し、ｘ軸正方向から見て時計回りの回動を停止する。その結果、メインミラー４１０は、図４に示すように、入射光束中に斜設される第１状態に位置決めされる。
【００４４】
第２ばね５１２は、メインミラー４１０が第１状態に位置決めされている場合において、図４に示すように、アーム５１４の先端部でミラーアップピン４２２と接触する。第２ばね５１２は、アーム５１４を介して、図４の矢印Ａの方向にメインミラー保持枠４２０を付勢する。メインミラー保持枠４２０が上昇すると、アーム５１４におけるミラーアップピン４２２との接触箇所は、先端側から中央側へ移動する。そして、メインミラー４１０が第２状態に位置決めされると、第２ばね５１２は、図５に示すように、アーム５１４の中央部でミラーアップピン４２２と接触する。
【００４５】
メインミラー保持枠４２０が第２状態の位置から下降すると、アーム５１４におけるミラーアップピン４２２との接触箇所は、中央側から先端側へ移動する。そして、メインミラー４１０が第１状態に位置決めされると、第２ばね５１２は、上述したように、アーム５１４の先端部でミラーアップピン４２２と接触する。このように第２ばね５１２がメインミラー保持枠４２０の回動時においてミラーアップピン４２２との接触箇所を変更することにより、メインミラー保持枠４２０は、第２ばね５１２からの抵抗力をそれほど受けることなく円滑に回動することができる。
【００４６】
図６は、ミラーアップピン４２２の構造を説明するための説明図である。なお、図６はミラーボックス４０２を省略して示す。ミラーアップピン４２２は、メインミラー保持枠４２０に固定される固定軸部材４２４と、固定軸部材４２４の先端で回転可能に支持される回転部材４２６とで構成される。回転部材４２６は、ミラーボックス４０２の外側に設けられている。回転部材４２６には、第２ばね５１２と接触する凹部４２８が形成されている。
【００４７】
固定軸部材４２４は、一部がミラーボックス４０２内に存在する。そのため、固定軸部材４２４の表面には、光の反射を防止するための黒色塗装が施されている。一方、回転部材４２６は、ミラーボックス４０２の外側に設けられているので、回転部材４２６の表面に黒色塗装を施す必要はない。
【００４８】
本実施形態では、回転部材４２６の表面は、反射防止の黒色塗装ではなく、摺動摩擦を低減するメッキ塗装が施されている。これにより、アーム５１４が凹部４２８で摺動したとしても、摩擦による不安定な抵抗を抑制することができる。したがって、メインミラー保持枠４２０は、円滑に回動することができる。さらに、回転部材４２６は、固定軸部材４２４に対して回転自在であるので、コロとしての機能を発揮して、より一層摩擦を低減する。
【００４９】
上述の実施形態では、第２回動軸４３４側のメインミラー保持枠４２０を付勢する第２付勢部として、取付軸４０４の外周に設けられた第２ばね５１２が用いられたが、第２付勢部の形態はこれに限らない。ミラーアップレバーに固定される第１端と、ミラーアップレバーがミラーアップピン４２２の支持を解除した場合にミラーアップピン４２２に係合する第２端とを備えるばねが、第２付勢部として用いられてもよい。また、第１ばね５１０と同様に、第２回動軸４３４の外周に設けられたばねが、第２付勢部として用いられてもよい。この場合、当該ばねの一端はメインミラー保持枠４２０の第２回動軸４３４側の側板に係合し、他端はミラーボックス４０２の第２回動軸４３４側の側壁に係合する。
【００５０】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００５１】
１００  一眼レフカメラ、１１０  光軸、２００  レンズユニット、２１０  固定筒、２２０、２３０、２４０  レンズ、２５０  レンズマウント、２６０  レンズ側ＣＰＵ、３００  カメラボディ、３２０  ボディ基板、３２２  ボディ側ＣＰＵ、３２４  画像処理回路、３３０  撮像素子、３３２  光学フィルタ、３４０  背面表示部、３５０  ファインダ、３５２  ピント板、３５４  ペンタプリズム、３５６  ファインダ光学系、３６０  ボディマウント、３７０  シャッタ、３８０  合焦光学系、３８２  焦点検出センサ、３９０  測光センサ、４００  ミラーユニット、４０２  ミラーボックス、４０４  取付軸、４０６  第２軸受、４１０  メインミラー、４２０  メインミラー保持枠、４２２  ミラーアップピン、４２４  固定軸部材、４２６  回転部材、４２８  凹部、４３０  メインミラー回動軸、４３２  第１回動軸、４３４  第２回動軸、４４０  サブミラー、４５０  サブミラー保持枠、４５２  Ｕ字部、４６０  サブミラー回動軸、４７０  ミラー基板、４７２  第１軸受、４８０  緩衝部材、４８２  受けピン、４９０  緩衝ばね、４９２  制動部材、５００  第１偏心ピン、５０２  第２偏心ピン、５１０  第１ばね、５１２  第２ばね、５１４  アーム、５２０  キャッチピン、５３０  トグルばね
【図１】
2013140193.tif 000003
【図２】
2013140193.tif 000004
【図３】
2013140193.tif 000005
【図４】
2013140193.tif 000006
【図５】
2013140193.tif 000007
【図６】
2013140193.tif 000008